(57)【特許請求の範囲】
【請求項１】
商品を陳列する商品陳列用空間部を形成する本体上部からキャノピー部が前方に向けて延設されたオープンショーケースであって、
前記キャノピー部は、前記本体上部の左右側から前方に向けて延設された前出し部材及び該前出し部材の外面を覆う外装部材から構成され、前記外装部材は、前記前出し部材に対する高さ位置を調整可能な高さ位置調整手段を介して前記前出し部材に取り付けられていることを特徴とするオープンショーケース。
【請求項２】
前記高さ位置調整手段は、前記外装部材が取り付けられ、前記前出し部材に対して上下動自在に設けられた調整部材と、該調整部材を前記前出し部材に対して所定高さ位置に保持するための保持手段と、から構成されることを特徴とする請求項１に記載のオープンショーケース。
【請求項３】
前記前出し部材には、上向きに開口する凹部が設けられており、前記調整部材は、前記凹部内に上下動自在に嵌合されていることを特徴とする請求項２に記載のオープンショーケース。
【請求項４】
前記高さ位置調整手段は、前記調整部材の前後方向の傾きを調整可能に構成されていることを特徴とする請求項２または３に記載のオープンショーケース。
【請求項５】
前記調整部材は、上下方向に延びる前片及び後片と、該前片及び後片の下端部間を連結する底片と、から上向き略コ字形に形成され、前記後片に前記外装部材の後端が取り付けられるとともに、前記前片は前記外装部材の裏面を下方から支持することを特徴とする請求項２ないし４のいずれかに記載のオープンショーケース。
【請求項６】
前記後片の上端からは水平片が前方に向けて延設されており、前記水平片には、前記外装部材の後端部と、前記本体上部のトップパネルの前端部とが設けられることを特徴とする請求項５に記載のオープンショーケース。
【請求項７】
前記調整部材は、左右方向を向く前片及び後片と、該前片及び後片の下端部間を連結する底片と、から上向き略コ字形に形成され、
前記保持手段は、前記前出し部材と前記後片とを固定する固定ネジと、前記底片に螺合され、該底片から下方に突出した先端が前記前出し部材に当接される調整ネジと、から構成されることを特徴とする請求項５または６に記載のオープンショーケース。
【発明の詳細な説明】
【技術分野】
【０００１】
本発明は、商品を陳列する商品陳列用空間部を形成する本体上部からキャノピー部が前方に向けて延設されたオープンショーケースに関する。
【背景技術】
【０００２】
従来、店舗等に設置されるショーケースには、一般的にショーケースの前面上部に設けられた蛍光灯の前側を覆うように、ショーケースの左右幅方向に延びるキャノピー部（シェード）が設けられている。
【０００３】
この種のショーケースは、店舗等において左右方向に複数設置して使用されることが多いため、使用する際にこれら左右のキャノピー部の表面間に段差が生じて見栄えが悪くなることがないように、例えば隣り合う左右のキャノピー部同士を、その裏面先端部に跨って組み付けられる固定連結具により連結したもの等がある（例えば、特許文献１参照）。
【０００４】
【特許文献１】特開２０００−２１０１６５号公報（第３頁、第４図）
【発明の開示】
【発明が解決しようとする課題】
【０００５】
しかしながら、上記特許文献１に記載のショーケース等にあっては、キャノピー部及びショーケースの製造誤差や該ショーケースを設置する床の状態等によって、左右のキャノピー部の高さ位置にずれが生じることがあり、このような場合、上記固定連結具等によりキャノピー部同士を連結しにくくなる虞があった。
【０００６】
そこで、左右のキャノピー部それぞれの高さ位置を合わせるために、例えばショーケースの底面に設けられたアジャスタを操作してショーケース全体の高さ位置を調整することが考えられるが、作業が大掛かりになるばかりか、各ショーケース全体の水平バランス等に影響が及んでしまう虞があった。
【０００７】
本発明は、このような問題点に着目してなされたもので、オープンショーケースの設置現場において、ショーケース本体に設けられるキャノピー外装の高さ位置を容易に調整可能とするオープンショーケースを提供することを目的とする。
【課題を解決するための手段】
【０００８】
前記課題を解決するために、本発明の請求項１に記載のオープンショーケースは、
商品を陳列する商品陳列用空間部を形成する本体上部からキャノピー部が前方に向けて延設されたオープンショーケースであって、
前記キャノピー部は、前記本体上部の左右側から前方に向けて延設された前出し部材及び該前出し部材の外面を覆う外装部材から構成され、前記外装部材は、前記前出し部材に対する高さ位置を調整可能な高さ位置調整手段を介して前記前出し部材に取り付けられていることを特徴としている。
この特徴によれば、オープンショーケースの設置現場において、ショーケース本体の高さ位置を調整する等の大掛かりな作業を行うことなく、本体上部に設けられた高さ位置調整手段により、前出し部材に対する外装部材の左右端側の高さ位置をそれぞれ調整することができるため、左右に隣接配置されたオープンショーケースの外装部材同士の高さ位置を容易に揃えて整然と配置することができる。
【０００９】
本発明の請求項２に記載のオープンショーケースは、請求項１に記載のオープンショーケースであって、
前記高さ位置調整手段は、前記外装部材が取り付けられ、前記前出し部材に対して上下動自在に設けられた調整部材と、該調整部材を前記前出し部材に対して所定高さ位置に保持するための保持手段と、から構成されることを特徴としている。
この特徴によれば、調整部材の前出し部材に対する高さ位置を調整するだけで、外装部材の高さ位置を容易に調整することができる。
【００１０】
本発明の請求項３に記載のオープンショーケースは、請求項２に記載のオープンショーケースであって、
前記前出し部材には、上向きに開口する凹部が設けられており、前記調整部材は、前記凹部内に上下動自在に嵌合されていることを特徴としている。
この特徴によれば、調整部材の上下位置を調整する際におけるガタツキが防止されるため、調整作業を容易に行うことができるばかりか、外装部材を前出し部材に取り付ける際に、該外装部材を取り付けた調整部材を凹部内に嵌合させることで、外装部材の荷重を支えながら高さ調整作業及び保持作業を行わずに済むため、作業性が向上する。
【００１１】
本発明の請求項４に記載のオープンショーケースは、請求項２または３に記載のオープンショーケースであって、
前記高さ位置調整手段は、前記調整部材の前後方向の傾きを調整可能に構成されていることを特徴としている。
この特徴によれば、高さ位置調整だけでなく、調整部材を介して外装部材の前後方向の傾きも調整できるため、左右の外装部材同士をきれいに揃えることができる。
【００１２】
本発明の請求項５に記載のオープンショーケースは、請求項２ないし４のいずれかに記載のオープンショーケースであって、
前記調整部材は、上下方向に延びる前片及び後片と、該前片及び後片の下端部間を連結する底片と、から上向き略コ字形に形成され、前記後片に前記外装部材の後端が取り付けられるとともに、前記前片は前記外装部材の裏面を下方から支持することを特徴としている。
この特徴によれば、調整部材の軽量化を図ることができるとともに、外装部材の前垂れを極力防止できる。
【００１３】
本発明の請求項６に記載のオープンショーケースは、請求項５に記載のオープンショーケースであって、
前記後片の上端からは水平片が前方に向けて延設されており、前記水平片には、前記外装部材の後端部と、前記本体上部のトップパネルの前端部とが設けられることを特徴としている。
この特徴によれば、外装部材とトップパネルとが調整部材とともに上下動するため、高さ位置調整作業による外装部材とトップパネルとの位置ずれが防止される。
【００１４】
本発明の請求項７に記載のオープンショーケースは、請求項５または６に記載のオープンショーケースであって、
前記調整部材は、左右方向を向く前片及び後片と、該前片及び後片の下端部間を連結する底片と、から上向き略コ字形に形成され、
前記保持手段は、前記前出し部材と前記後片とを固定する固定ネジと、前記底片に螺合され、該底片から下方に突出した先端が前記前出し部材に当接される調整ネジと、から構成されることを特徴とする。
この特徴によれば、固定ネジによる調整部材の固定と調整ネジによる高さ位置調整とを個別に行うことができる。
【発明を実施するための最良の形態】
【００１５】
本発明に係るオープンショーケースを実施するための最良の形態を実施例に基づいて以下に説明する。
【実施例】
【００１６】
本発明の実施例を図面に基づいて説明すると、先ず図１は、実施例におけるオープンショーケースを示す正面図であり、図２は、オープンショーケースを示す縦断側面図であり、図３は、調整部材を示す斜視図であり、図４は、前出し部材を示す斜視図であり、図５は、オープンショーケースの右端上方における調整部材を前出し部材に取り付けた状態を示す斜視図であり、図６は、図５におけるキャノピー外装の上下高さを調整する状態を示すＡ−Ａ縦断側面図であり、図７は、図５におけるキャノピー外装の前後方向の角度調整を示すＡ−Ａ縦断側面図である。以下、図１の紙面手前側をオープンショーケースの正面側とし、図２、図６、図７の紙面左側をオープンショーケースの正面側として説明する。
【００１７】
図１に示されるオープンショーケース１は、主に商店やスーパーマーケットやコンビニエンスストア等の食品等を取り扱う販売店舗に左右に複数設置され、商品を低温に保ったまま保冷、または冷凍した状態で陳列するために設置される冷蔵ショーケースである。本実施例では、後述するキャノピー部１７が、客等の目線よりも高い位置になるように、オープンショーケース１の上部における床面から約１９００〜２０００ｍｍの高さ位置から前方に向けて延設されて構成されている。
【００１８】
図２に示すように、オープンショーケース１は、正面から開口された内箱２と、この内箱２と同じく正面側が開口され、内箱２を囲繞するように左右方向に設けられた外箱３とからなり、外箱３は発砲ウレタン樹脂材等からなる断熱部材と、この断熱部材の表裏面を覆うスチール金属等の表面板と、から構成されている。また、外箱３と内箱２との間には通風路４が形成され、この外箱３と内箱２によってショーケース本体５を成す。この通風路４内には、冷却装置６と送風機７を備えている。
【００１９】
また、正面側を開口した内箱２により囲まれた商品陳列用空間部としての冷蔵室８には、商品を陳列する陳列棚９が上下方向に複数設置され、下部に設けられた底板１０にも商品（図示省略）を陳列可能になっており、商品を多数載置可能な構成となっている。更に、各陳列棚９の前端部下面には、直下の陳列棚９もしくは底板１０に陳列された商品を照明可能な蛍光灯等の照明装置１１が設けられている。
【００２０】
ショーケース本体５の下部には、通風路４に空気を取り込む吸込口１２が形成されており、ショーケース本体５の上部には、冷却装置６によって冷却された冷気の冷気吹出口１３が形成されている。この冷気吹出口１３から、送風機７の稼動によって冷却装置６で冷却された冷気が吸込口１２に向かって吹き出されて、ショーケース本体５の内箱２の正面側への開口を閉塞するエアーカーテン１４が形成されている。
【００２１】
このエアーカーテン１４の一部が冷蔵室８内に供給されることで、冷蔵室８内は一定の低温を保つことができ、冷蔵室８内の陳列棚９や底板１０に載置される商品（図示省略）を冷蔵・冷凍した状態で陳列できるようになっている。
【００２２】
冷気吹出口１３の前方位置には、前方下方に向けて左右幅方向に延びる前部整流板１５が延設されており、冷気吹出口１３の後方位置には、前方下方に向けて左右幅方向に延びる後部整流板１６が延設され、これら前部整流板１５と後部整流板１６によって冷気吹出口１３から吹出される冷気の整流が助長されている。
【００２３】
ショーケース本体５の上面には、正面方向に向けて延びる金属材からなる前出し部材１８が設けられている。この前出し部材１８は、ショーケース本体５上面の左右端及び中央にそれぞれ設けられており（図１参照）、それぞれの前出し部材１８のショーケース本体５上部前端（正面側）には、オープンショーケース１の左右幅方向に延びる外装部材としてのキャノピー外装１９が取り付けられ、このキャノピー外装１９と前出し部材１８とによってキャノピー部１７が構成されている。また、前出し部材１８の上方には、ショーケース本体５の天板としてのトップパネル２０が、前出し部材１８の前部からショーケース本体５の後端にかけて設けられている。
【００２４】
次に、このキャノピー部１７の詳細について説明する。尚、キャノピー部１７の左右端は同一構成につき、主に右端のキャノピー部１７について説明する。
【００２５】
図６に示すように、キャノピー外装１９の後端部１９ａは、このキャノピー外装１９の前出し部材１８に対する高さ位置を調整可能な高さ位置調整手段２１にキャノピーネジ２２によって固着されており、キャノピー外装１９は、この高さ位置調整手段２１を介して前出し部材１８に取り付けられている。
【００２６】
また、前出し部材１８の前部下方には、冷蔵室８内を照明する蛍光ランプ２３が配設されており、オープンショーケース１に載置された商品を手に取る買物客等が眩しくないように蛍光ランプ２３の前方がキャノピー外装１９によって覆われている。前出し部材１８の前部下方のショーケース本体５左右端部には、左右に隣接配置されたオープンショーケース１を連結金具（図示省略）を介して連結する連結部２４が設けられている。
【００２７】
キャノピー外装１９は、金属板を側面視ラウンド状に加工することにより形成されており、その先端は前（正面側）下方に向けて湾曲されている。このため、キャノピー外装１９の荷重は、全て後端部に設けられる高さ位置調整手段２１を介して、前出し部材１８によって片持ち状態で支持されている。また、キャノピー外装１９が金属材からなる前出し部材１８に支持されることによって、内部が発泡ウレタン樹脂材等からなる断熱部材で構成されている外箱３に直接キャノピー外装１９が取り付けられるよりも、強度的に安定して支持される。
【００２８】
また、キャノピー外装１９の後端部１９ａは、ラウンド形状に形成されている上端部よりも低位置に配置されるように、下方に向けて屈曲された後に更に後方（背面側）に向けて屈曲された側面視クランク状に形成されている。
【００２９】
更に、図５に示すように、後端部１９ａの左右端には、後述する調整ネジ２７を上方に開放させるための切欠部１９ｂが形成されており、この切欠部１９ｂを通して調整ネジ２７を上方から操作できるようになっている。尚、特に図示はしないが、キャノピー外装１９の中央部においても同様の切欠部１９ｂが形成されている。
【００３０】
高さ位置調整手段２１は、キャノピー外装１９の後端部１９ａがキャノピーネジ２２より取り付けられ、前出し部材１８に形成される凹部２８内に上下動自在に嵌合される調整部材２５と、この調整部材２５を前出し部材１８に対して所定高さ位置に保持するための保持手段としての固定ネジ２６及び調整ネジ２７と、から構成されている。
【００３１】
図３に示すように、調整部材２５は、上下方向に延びる前片２５ａ及び後片２５ｂと、この前片２５ａ及び後片２５ｂの下端部間を連結する底片２５ｃと、からの上向き略コ字形状に形成されている。後片２５ｂの上部は、正面側に向かって屈折されて延びる水平片２５ｄに形成されている。この水平片２５ｄには、前述したキャノピーネジ２２が螺着されるキャノピー孔２５ｆが形成されており、該キャノピーネジ２２によりキャノピー外装１９の後端部１９ａを水平片２５ｄに螺着できるようになっている。
【００３２】
この水平片２５ｄの上面には、トップパネル２０の前端部が載置されるため（図６参照）、調整部材２５の前出し部材１８に対する上下動に伴い、キャノピー外装１９とトップパネル２０の前端部と上下動する。つまり、調整部材２５の高さ位置を調整することによりキャノピー外装１９とトップパネル２０との間で位置ずれが生じることが無い。また、キャノピー外装１９の上端部とトップパネル２０の上面とは面一に配置されるとともに、キャノピー外装１９を螺着しているキャノピーネジ２２の頭部がトップパネル２０により上方から隠蔽されるので、オープンショーケース１の上部の美観を保つことができる。
【００３３】
調整部材２５の前片２５ａの上端からは、前方（正面側）に向かって延びる支持片２５ｅが連設されており、この支持片２５ｅによってキャノピー外装１９の裏面における後端部１９ａよりも前方位置が下方から支持されている。この支持片２５ｅにより、キャノピー外装１９の裏面における後端部１９ａよりも前方位置を下方から支持することで、キャノピー外装１９は、水平片２５ｄと支持片２５ｅとの前後２点で支持されることになるので、キャノピー外装１９の先端が所定位置よりも下方に垂れてしまう前垂れ現象の発生が防止されている。
【００３４】
更に、後片２５ｂには、固定ネジ２６が螺入される固定孔２５ｇが設けられている。この固定孔２５ｇには、後述する前出し部材１８に設けられた後板１８ｄを介して固定ネジ２６が後方（背面側）から前側に向けて水平方向に螺着され、該固定ネジ２６を締めて調整部材２５と前出し部材１８とを固定することで、調整部材２５を凹部２８内における所望の高さ位置で固定（保持）できるようになっている。
【００３５】
また、底片２５ｃには、調整ネジ２７が螺入される調整孔２５ｈが設けられている。この調整ネジ２７は、先端が底片２５ｃ下方に突出して前出し部材１８の底板１８ａ（図６参照）に当接するまで上方から下方に向けて垂直方向に螺入される。よって、調整ネジ２７を締緩することで、調整ネジ２７が締緩されたリード分調整部材２５が上下動自在となる。このように、調整部材２５に水平方向を向く固定ネジ２６と垂直方向を向く調整ネジ２７とを別々に設けることによって、固定ネジ２６による調整部材２５の固定作業と、調整ネジ２７による高さ位置調整作業とを個別に行うことができる。
【００３６】
更に、調整ネジ２７の先端が底板１８ａに当接することで、水平片２５ｄと支持片２５ｅとでキャノピー外装１９を支持することにより掛かる荷重が、凹部２８の底面、つまり前出し部材１８の底板１８ａ上面により下方から支持されるので、調整部材２５の高さ位置を固定している固定ネジ２６にキャノピー外装１９の荷重が掛かって、調整部材２５の高さ位置が下方にずれることが防止されている。
【００３７】
尚、調整部材２５にはキャノピー孔２５ｆと固定孔２５ｇとが２つずつ設けられており、どちらを使用しても構わないが、図５に示すように、左右端に設けられたキャノピー部１７の調整部材２５の調整を行う際に、キャノピー外装１９の切欠部１９ｂによって調整が行い易くなる側を使用するのが望ましい。更に、キャノピー部１７の中央に設けられた調整部材２５の場合も左右端に設けられたキャノピー部１７と同様に、調整部材２５の調整が行い易いように、切欠部１９ｂの位置によって決定すればよい。
【００３８】
図４に示すように、前出し部材１８は底板１８ａの左右端から上方に延びる左右の側板１８ｂ，１８ｂが設けられている。この側板１８ｂ，１８ｂの一部は、前出し部材１８の前部において、それぞれ内方に屈曲された前板１８ｃと後板１８ｄを形成している。
【００３９】
これにより、前出し部材１８に側板１８ｂ，１８ｂと前板１８ｃと後板１８ｄとで上向きに開口される凹部２８が形成される。この凹部２８には、図５に示すように、調整部材２５が嵌合される。また、後板１８ｄには、固定ネジ２６が上下方向に摺動自在に挿通される縦孔１８ｅが設けられており、凹部２８内に上方から上下動自在に嵌合された調整部材２５は、固定ネジ２６及び縦孔１８ｅによって上下方向にガイドされる。
【００４０】
このように、調整部材２５の前片２５ａ及び後片２５ｂそれぞれの内面には、それぞれ前板１８ｃと後板１８ｄとの外面がそれぞれ当接し、調整部材２５の上下位置の調整する際におけるガタツキが防止されるので、高さ位置調整作業を容易に行うことができるばかりか、キャノピー外装１９を前出し部材１８に取り付ける際に、キャノピー外装１９を取り付けた調整部材２５を凹部２８内に嵌合させることで、キャノピー外装１９の荷重を支持しながら高さ調整及び保持作業を行わずに済むため、作業性が向上する。
【００４１】
また、調整部材２５は、凹部２８への嵌合と、キャノピー外装１９を水平片２５ｄ及び支持片２５ｅの２箇所で支持するために側面視略コ字状とされていることで、軽量化が図られている。
【００４２】
次に、このように構成された高さ位置調整手段２１を用いたキャノピー外装１９の高さ位置調整方法を説明する。先ず、図６に示すように、固定ネジ２６が緩んでいる状態において、調整ネジ２７を上方から正逆回転させることで、左右に隣接配置されたオープンショーケース１（図１参照）それぞれのキャノピー外装１９の高さ位置を比較しながら、凹部２８、つまり前出し部材８に対する調整部材２５の高さ位置を調整し、これによりキャノピー外装１９の高さ位置が左右に隣接配置されたオープンショーケース１の高さ位置と同一となったら固定ネジ２６を締めて調整部材２５を固定する。このように、調整部材２５の前出し部材１８に対する高さ位置を調整するだけで、キャノピー外装１９の高さ位置を容易に調整することができる。
【００４３】
また、本実施例では上記のように調整ネジ２７による高さ位置調整の後に固定ネジ２６を締めたが、図７に示すように、高さ位置調整手段２１は、固定ネジ２６を締めた後に調整ネジ２７を正逆回転させることによって、固定ネジ２６側を支点として、調整部材２５を前後方向に傾かせることができ、これによりキャノピー外装１９の前後方向の傾きが調整される。
【００４４】
尚、上記キャノピー外装１９の高さ位置調整及び前後方向の傾き調整を行う際には、調整部材２５が上向き略コ字状に形成されているとともに、キャノピー外装１９の後端部１９ａには上方から調整部材２５に設けられた調整ネジ２７を容易に正逆回転操作が可能なように切欠部１９ｂが形成されていることから、天板であるトップパネル２０を開けるだけでオープンショーケース１の上方から高さ位置調整手段２１の調整を上方から容易に行うことができる。
【００４５】
このようにキャノピー外装１９の前後方向の傾きを調整可能に構成されていることにより、キャノピー外装１９の高さ位置調整だけでなく、調整部材２５を介してキャノピー外装１９の前後方向の傾きも調整できるため、隣り合うキャノピー外装１９の表面同士をよりきれいに揃えることができる。
【００４６】
以上のように、上記オープンショーケース１を構成することで、オープンショーケース１の設置現場において、ショーケース本体５のアジャスタを操作して高さ位置を調整する等の大掛かりな作業を行うことなく、ショーケース本体５上部に設けられた高さ位置調整手段２１により、前出し部材１８に対するキャノピー外装１９の左右端側の高さ位置をそれぞれ調整することができるため、左右に隣接配置されたオープンショーケース１のキャノピー外装１９同士の高さ位置を容易に揃えて整然と配置することができる。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
例えば、前記実施例では、オープンショーケースとして、主に商店やスーパーマーケットやコンビニエンスストア等の食品等を取り扱う販売店舗に複数配置され、商品を低温に保ったまま保冷、または冷凍した状態で陳列するために設置される冷蔵ショーケースを一例として説明したが、正面が開口しており商品を陳列するショーケースであれば常温、または高温で陳列するショーケースであっても全て含まれており、また、単体で配置されていてもよい。
【００４９】
また、前記実施例では、キャノピー外装１９はスチール金属等の板状部材で構成された側面視ラウンド形状に形成されているとしたが、例えばキャノピー外装１９を構成する材質はポリエチレンやアクリル樹脂等の合成樹脂でもよく、側面視略コ字形状や前下方に向けて断面視直線状に傾斜していてもよい。
【００５０】
また、前記実施例では、高さ位置調整手段２１を側面視コ字形状の調整部材２５と、調整ネジ２７と、固定ネジ２６と、で構成してキャノピー外装１９の高さ位置を調整可能としたが、高さ位置調整手段は、例えば前出し部材１８の前部で前後に垂直に設けられた２本のボルトと、それぞれのボルトに螺着されて設けられる各上下２個のナットと、により構成し、キャノピー外装１９の後端部１９ａを各ボルトに挿通させるとともに、後端部１９ａを表面側と裏面側から上下２個のナットを緊締して挟持し、キャノピー外装１９の後端部１９ａを前後各２個のナットで保持するようにしてもよい。このようにすれば、キャノピー外装１９の高さ位置を調整する際には、前後各２個のナットのリードを締緩することによってキャノピー外装１９の高さ位置を調整可能とすることができ、前後方向の傾きを調整する際には、前出し部材１８の前部に設けられた前後２本のボルトのうち、一方のボルトに設けられた２個のナットでキャノピー外装１９の後端部１９ａを挟持した後に、他方のボルトに設けられた２個のナットを締緩することによって、一方のボルトに設けられた２個のボルトで狭持されたキャノピー外装の後端部１９ａの一点を軸としてキャノピー外装１９を前後方向に傾かせて、キャノピー外装１９の前後方向の傾きを調整することができる。
【００５１】
また、前記実施例では、本発明の保持手段が調整ネジ２７及び固定ネジ２６により構成されていたが、少なくとも調整部材２５を前出し部材１８に対して所定高さ位置に保持（固定）することが可能な固定ネジ２６が設けられていれば、調整ネジ２７は必ずしも設けなくてもよい。
【００５２】
さらに、前記実施例では、調整部材２５を前出し部材１８に対して所定高さ位置に保持することが可能な保持手段の一例として、調整部材２５を前出し部材１８に対して所定高さ位置に螺着により保持することが可能なネジ部材（ボルト）にて構成されていたが、保持することができるものであれば、例えば係止ピン等を適用してもよい。
【図面の簡単な説明】
【００５３】
【図１】実施例におけるオープンショーケースを示す正面図である。
【図２】オープンショーケースを示す縦断側面図である。
【図３】調整部材を示す斜視図である。
【図４】前出し部材を示す斜視図である。
【図５】オープンショーケースの右端上方における調整部材を前出し部材に取り付けた状態を示す斜視図である。
【図６】図５におけるキャノピー外装の上下高さを調整する状態を示すＡ−Ａ縦断側面図である。
【図７】図５におけるキャノピー外装の前後方向の角度調整を示すＡ−Ａ縦断側面図である。
【符号の説明】
【００５４】
１                オープンショーケース
２                内箱
３                外箱
５                ショーケース本体
８                冷蔵室（商品陳列用空間部）
１７              キャノピー部
１８              前出し部材
１８ｅ            縦孔
１９              キャノピー外装（外装部材）
１９ｂ            切欠部
２１              高さ位置調整手段
２５              調整部材（高さ位置調整手段）
２５ａ            前片
２５ｂ            後片
２５ｃ            底片
２５ｄ            水平片（後片）
２５ｅ            支持片
２５ｇ            固定孔
２５ｈ            調整孔
２６              固定ネジ（保持手段、高さ位置調整手段）
２７              調整ネジ（保持手段、高さ位置調整手段）
２８              凹部
【図１】
0005108394.tif 000002
【図２】
0005108394.tif 000003
【図３】
0005108394.tif 000004
【図４】
0005108394.tif 000005
【図５】
0005108394.tif 000006
【図６】
0005108394.tif 000007
【図７】
0005108394.tif 000008